(57)【要約】  【課題】ガス燃焼式等の打ち出し工具において、安全装置の機能を損なうことなくディスク体用アタッチメントを取付けできるようにする。  【手段】打ち出し工具のヘッド部３は、固定式のアウターガイド１６とスライド自在なインナーガイド１７とを備えている。インナーガイド１７はロック解除部材を兼用しており、先端部はアウターガイド１６から露出している。アタッチメント２０はアウターガイド１６に固定したスリーブ３２と、このスリーブ３２にスライド自在に嵌まったディスクホルダー３３とを備えており、ディスクホルダー３３はばね３４で前進方向に付勢されている。ディスクホルダー３３を後退させてもインナーガイド１７は後退しないため、安全機能が確保される。【選択図】            図２
2006007384.tif 000002
【特許請求の範囲】
【請求項１】
ファスナーを打ち込むための棒状のロッドを内蔵した本体と、ロッド及びファスナーのガイド等を行うために本体の先端に設けたヘッド部と、ロッドの前方にファスナーを１本ずつ供給するマガジンと、ワークへの押圧による後退動にてロッドを打ち出し可能な状態に切り換えるロック解除部材と、ロック解除部材を人が外側から操作できない状態に保持する防護手段とを備えており、前記ヘッド部に、前記ファスナーでワークに固定されるディスク体をロッドと同心状に保持するためのアタッチメントが取り付けられている打ち出し工具であって、
前記アタッチメントは、ディスク体を自重では脱落しない状態に保持するディスクホルダーを備えており、このディスクホルダーを、前記ロック解除部材とは独立してスライドするように前記ヘッド部に取付けると共に、ばね手段で前進方向に付勢している、
打ち込み工具。
【請求項２】
前記ロッドはガスの燃焼圧によって駆動されるものである一方、
前記ヘッド部は、ロッドの進退動及びファスナーの前進動をガイドすると共に前記ロック解除部材を兼用する可動式のインナーガイドと、インナーガイドがロッドの軸方向に移動するようにガイドする固定式のアウターガイドとを備えており、前記アウターガイドの先端部に、前記ディスクホルダーを直接に又はスリーブを介して前後動自在に取付け、ディスクホルダーでインナーガイドの先端部を覆っている、
請求項１に記載したガス燃焼式の打ち込み工具。
【請求項３】
ファスナーを打ち出すロッドを備えている打ち出し工具のヘッド部に取付けてディスク体を保持するアタッチメントであって、
打ち出し工具のヘッド部に固定されるスリーブと、スリーブにスライド自在でかつ抜け不能の状態で外側から嵌合したディスクホルダーと、ディスクホルダーを前進方向に付勢するばね手段とを備えており、前記ディスクホルダーの前面には、ディスク体が嵌まる凹所を形成すると共に、ディスク体が自重では脱落しないように凹所内に保持する保持手段とを設けている、
打ち出し工具用のディスク体保持用アタッチメント。
【発明の詳細な説明】
【技術分野】
【０００１】
本発明は、ガス燃焼式等の打ち込み工具及びこれに使用するディスク体保持用アタッチメントに関するものである。
【背景技術】
【０００２】
釘打ち機や鋲打ち機のような打ち込み工具には、空圧を利用したものやガスの燃焼圧を利用したもの、或いは火薬の爆発力を利用したものなどがある。ガスの燃焼圧を利用した打ち出し工具は例えば特許文献１，２に記載されている。
【０００３】
これらの打ち込み工具では、空中に向けて打つ空打ちを防止するための安全装置を設けている。この安全装置は、ワークに当たると後退動するロック解除部材を備えており、ロック解除部材が後退動すると打ち出しに対するロックが解除されて、トリガーを引くとロッドが前進動する。
【０００４】
特許文献１の打ち込み工具は、ファスナー及びロッドをガイドする可動式のインナーガイドと、このインナーガイドのスライドをガイドするアウターガイドとを備えており、インナーガイドの先端部をアウターガイドの先端から若干の寸法だけ露出させて、インナーガイドをロック解除部材に兼用している。
【０００５】
他方、特許文献２では、ファスナー及びロッドのガイドは本体に固定された固定式ガイド体で行うようになっており、安全装置としてのみ機能するプローブを固定式ガイド体の先端部から前向きに突出させている。
【０００６】
他方、例えば鉄筋コンクリート建造物の屋根に防水シートを固定するために円板状のディスク体が使用されている。このディスク体はコンクリートスラブにファスナーで固定されているが、ファスナーとして頭付きピンや釘を使用することがある。
【０００７】
そして、ディスク体の固定作業を能率良くかつ安全に行えるように、空圧作動式の打ち出し工具において、そのヘッド部にディスク体を保持するアタッチメントを取付けることが行われており、この場合、従来は、ロック解除部材であるプローブにアタッチメントを取付けていた。
【特許文献１】特開２００１─１６２５６０号公報
【特許文献２】特開２００１─１７０８７４号公報
【発明の開示】
【発明が解決しようとする課題】
【０００８】
ところで、安全装置としてプローブを設けているのは、作業者が簡単にロック解除できないようにして空中発射を防止するためであるが、アタッチメントはその性質からして人が掴むことのできる大きさであるため、従来のようにアタッチメントをプローブに設けた構成では、アタッチメントを掴んで後退させることによってロックを解除できるため、安全装置が機能しないという問題があった。
【０００９】
本願発明は、この問題を解消することを課題とするものである。
【課題を解決するための手段】
【００１０】
前記の課題を解決するため請求項１の発明では、ファスナーを打ち込むための棒状のロッドを内蔵した本体と、ロッド及びファスナーのガイド等を行うために本体の先端に設けたヘッド部と、ロッドの前方にファスナーを１本ずつ供給するマガジンと、ワークへの押圧による後退動にてロッドを打ち出し可能な状態に切り換えるロック解除部材と、ロック解除部材を人が外側から操作できない状態に保持する防護手段とを備えており、前記ヘッド部に、前記ファスナーでワークに固定されるディスク体をロッドと同心状に保持するためのアタッチメントが取り付けられている打ち出し工具において、前記アタッチメントは、ディスク体を自重では脱落しない状態に保持するディスクホルダーを備えており、このディスクホルダーを、前記ロック解除部材とは独立してスライドするように前記ヘッド部に取付けると共に、ばね手段で前進方向に付勢している。
【００１１】
請求項２の発明はガス燃焼圧を利用してロッドを駆動する打ち出し工具に適用したもので、前記ヘッド部は、ロッドの進退動及びファスナーの前進動をガイドすると共に前記ロック解除部材を兼用する可動式のインナーガイドと、インナーガイドがロッドの軸方向に移動するようにガイドする固定式のアウターガイドとを備えており、前記アウターガイドの先端部に、前記ディスクホルダーを直接に又はスリーブを介して前後動自在に取付け、ディスクホルダーでインナーガイドの先端部を覆っている。
【００１２】
ディスク体保持用のアタッチメントは必要に応じて打ち出し工具に取付けられるもので、単独で流通する。そこで請求項３はアタッチメントのみの構成としている。すなわち、このアタッチメントは、打ち出し工具のヘッド部に固定されるスリーブと、スリーブにスライド自在でかつ抜け不能の状態で外側から嵌合したディスクホルダーと、ディスクホルダーを前進方向に付勢するばね手段とを備えており、前記ディスクホルダーの前面には、ディスク体が嵌まる凹所を形成すると共に、ディスク体が自重では脱落しないように凹所内に保持する保持手段とを設けている。
【発明の効果】
【００１３】
本発明によると、ロック解除部材とディスクホルダーとは独立して後退動するため、ディスクホルダーを後退させてもロック解除部材は後退せず、従って、空中発射を防止する安全機能を確保できる。なお、マガジンは着脱自在方式でも良いし、ヘッド部に一体に固定した分離不能方式で良いが、前者の場合、マガジンを取り外した状態（例えばファスナーを単体打ちする状態）でもロック解除部材にアクセスできないように防護手段で防護するのが好ましい。
【００１４】
請求項２のようインナーガイドをロック解除部材に兼用しているタイプの打ち込み工具に適用すると、アタッチメントはインナーガイドの機能を損なうことなくアウターガイドに簡単に取り付けることができるため、射構造が簡単になる利点がある。
【００１５】
請求項３のように構成すると、アタッチメントをヘッド部に着脱できるため、既存の打ち込み工具にも簡単に適用できると共に、また、アタッチメントを取り外してファスナーのみの打ち込みに使用することも簡単に行える。また、ディスク体は自重で落下することはないため、作業性に優れている。
【発明を実施するための最良の形態】
【００１６】
次に、本発明の実施形態を図面に基づいて説明する。本実施形態は、ガスの燃焼圧を利用して鋲やピン類、或いは釘の打ち込みを行う打ち込み工具に適用している。なお、本明細書で方向を示すために便宜的に「前」「先」「後」の文言を使用するが、これは、ファスナーの打ち出し方向を基準にしており、打ち出し方向に向かって前方を「前」「先」という。
【００１７】
(1).第１実施形態（図１〜図７）
図１〜図７では第１実施形態を示している。まず、図１〜図３に基づいて打ち込み工具の概要を説明する。図１は要部の側面図、図２（Ａ）は要部の縦断側面図、図３は要部の分離斜視図である。
【００１８】
打ち込み工具は、打ち込み用のロッド（ブレード）２を内蔵した本体１と、本体１の前端に取付けたヘッド部３と、ヘッド部３の下面に重なるマガジン４とを備えている。
【００１９】
本体１はハウジング５を備えており、ハウジング５の下面部にグリップ６とその前方に位置した傾斜部７とが側面視前掲状に配置されており、グリップ６の上部にはトリガー８を設けている。なお、グリップ６の下端と傾斜部７の下端とは一体に連続しており、また、マガジン４を取り付けた状態で当該マガジン４の下端は傾斜部の下端にノブで固定される（全体の形状については、例えば特願２００２−３３８０２０号を参照）。
【００２０】
ハウジング５の内側にはシリンダ９が配置されており、シリンダ９に、ロッド２を備えたピストン（図示せず）が摺動自在に嵌め込まれている。シリンダ９の前壁にはロッド２をガイドするブッシュ１０が装着されており、また、シリンダ９の前部にはクッションゴム１１を嵌め込んでいる。
【００２１】
図示していないが、シリンダ９の後方に燃焼室が形成されており、シリンダ９に外側からスライド自在に嵌まった安全スリーブが後退動すると燃焼室が塞がれて燃焼室に燃料ガスが充填され、トリガー８を引くとプラグの放電によってガスに着火し、ピストン及びロッド２が前進する。燃焼ガスはハウジング５に設けた排気穴から外部に放出される。
【００２２】
マガジン４（図１参照）は、連結ファスナー１２が装填される溝を備えており、連結ファスナー１２はばねで上向き付勢されたフォロワー（図示せず）で上方に押されており、これにより、ファスナー１３がロッド２の前方に１本ずつ供給される。
【００２３】
連結ファスナー１２は、多数本のファスナー１３を平行に並べた状態で連結具１４で連結している。本実施形態の連結ファスナー１２において各ファスナー１３は頭の位置を揃えた状態で並んでいる、軸方向に少しずつずらした態様のものもある。また、本実施形態のマガジン４と直線状に延びているが、ドラム状のマガジンとすることも可能である（この場合はファスナーはコイル状に巻かれることになる）。なお、マガジン４は着脱式にすることなく、ヘッド部３又は本体１に固定的に設けてもよい。
【００２４】
≪ヘッド部の構造≫
ヘッド部３は、機能上必須の構成要素として固定式のアウターガイド１６と可動式のインナーガイド１７とを備えており、更に、防護手段の一例としてシュラウド１８と、ロック解除部材（安全装置）の一環をなす連動部材１９が配置されており、アウターガイド１６の先端部にディスク体保持用アタッチメント２０を取り外し可能に取り付けている。
【００２５】
図３から容易に理解できるように、アウターガイド１６は、先端部は小径円筒部１６ａに形成され略後半部は広幅部１６ｂに形成されており、広幅部１４ｂには、ブロック体２１がスライド自在に嵌まる前後長手で上下開口のスリット２２と、アウターガイド１６を本体１に取付けるための取り付け穴２３と、マガジン４を位置決めするための位置決め穴２４とを設けている。
【００２６】
アウターガイド１６は、本体１の全面に突出した受け部１ａ（図２参照）に、ピン又はねじ類で取付けられる。なお、アウターガイド１６を本体１に一体成形すること（すなわち非着脱式にすること）も可能である。
【００２７】
図２に示すように、アウターガイド１６は、その小径筒部１４ａと後端部とを除いて下方に開口している。言うまでもないが、これはファスナー１３の通過を許容するためである。ブロック体２０は連動部材１９にねじ２５で固定されている。また、連動部材１９は図示しないばねによって前進方向に付勢されており、このため、非打ち込み状態でブロック体２１はスリット２２の前面に当接している。
【００２８】
インナーガイド１７は略後半部が小径部１７ａとなるように径違いに形成されており、大径の前部はアウターガイド１６の小径筒部１６ａにスライド可能に嵌まっている。また、インナーガイド１７の後端部はアウターガイド１６の後端に形成したガイド穴２６にスライド可能に嵌まっている。また、インナーガイド１７には、ファスナー１３の入り込みを許容するための下向き開口の長穴２７が形成されている（図３参照）。
【００２９】
インナーガイド１７には、後部１７ａが小径となるように異径に形成したことによって段部２８が形成されており、前記ブロック体２１は段部２８に当接している。図示してないが、インナーガイド１７はアウターガイド１６から手前に抜けないように後部に抜け止め手段を設けている。
【００３０】
インナーガイド１７はブロック体２１を介して前進状態に付勢されており、この前進状態でインナーガイド１７の先端部はアウターガイド１６の先端面から若干の寸法だけ突出している。そして、インナーガイド１７が後退するとブロック体２１を介して連動部材１９が後退し、すると、前記した安全スリーブが後退して燃焼室にガスが充填されると共に、トリガー８に対する機械的なロックが解除されてトリガー８を引くことができて、打ち込み可能状態になる。すなわち、安全装置のロックが解除される。
【００３１】
安全装置の構造は様々に設定でき、必ずしも安全スリーブを備えている必要はない。例えば、シリンダ９に燃料ガスを供給する管路のうちの適当な部位に電磁式又は機械式の弁装置を設けて、インナーガイド１７が後退しないと弁装置が開かないように設定したり、インナーガイド１７が後退しないと点火プラグに通電してないようにすることも可能である。なお、トリガー９のロックとガス供給のロックとの両方を併用するのが好適である。
【００３２】
シュラウド１８は、アウターガイド１６のうち小径円筒部１６ａの付け根部から後方の部位を覆うように形成されており、連動部材１９もシュラウド１８で覆われている。また、シュラウド１８を取付けると、たとえばマガジン４を取り外してしてもインナーガイドや連動部材１９を操作できないようになっている。
【００３３】
シュラウド１８の後端には端板２９を溶接等によって一体に設けており、この端板２９をビス（図示せず）及び位置決めピン３０（図２参照）で本体１の前面に固定している。この場合、端板２９を固定するビスとして、通常の＋又は−のドライバや角形レンチでは回転させ難い特殊な係合穴を備えたものを使用して、ユーザーであっても簡単に取り外しないようにするのが好ましい。
【００３４】
≪アタッチメント≫
次に、図４及び図５も参照してアタッチメント２０について説明する。図４は図２のIV−IV視断面図、図５は図２の V-V視図である。
【００３５】
アタッチメント２０は、アウターガイド１６の小径円筒部１６ａに外側から嵌まったスリーブ（固定ガイド体）３２と、このスリーブ３２に外側からスライド自在に嵌まったディスクホルダー３３と、ディスクホルダー３３を前進方向に付勢するばね（コイルばね）３４とを備えている。スリーブ３２及びディスクホルダー３３の素材には限定はないが、強度の点からスチール製とするのが好ましい。
【００３６】
スリーブ３２は円筒状に形成されており、左右一対の止めねじ３５でアウターガイド１６の小径筒部１６ａに押さえ固定されている。また、スリーブ３２に前後長手のガイド溝３６が上下一対形成されており、このガイド溝３６に、ディスクホルダー３３の後部にねじ込み固定したねじ（頭無しの六角穴つきねじ）３７の先端を嵌め入れており、これにより、ディスクホルダー３３を抜け不能でかつ一定のストロークで前後スライドするように保持している。
【００３７】
ガイド溝３６とねじ３７とは、ディスクホルダー３３の抜け防止手段及びストローク規制手段並びに回転阻止手段を構成しているが、これらの各手段は他の構成でも良い。ディスクホルダー３３は自在に回転しても良いのである。
【００３８】
スリーブ３２の後端にはばね３４を受けるフランジ３８が形成されており、また、ディスクホルダー３３の後端にはばね３４を安定的に保持する内向き段部３９を形成している。
【００３９】
ディスクホルダー３３は前進した状態でアウターガイド１６の先端から突出すると共にインナーガイド１７の露出部を囲うように設定している。また、ディスクホルダー３３の前端には大径の円板部３３ａが形成されており、円板部３３ａの前面にディスク体Ｄを嵌め込む凹所４０が形成されている。また、円板部３３ａには、ディスク体保持手段の一例としてのマグネット４１を、円周方向に沿って適宜間隔で複数個（４個）取り付けている。
【００４０】
図２（Ｂ）に示すように、マグネット４１は非フェライト系ステンレスのような非磁性体製スペーサ４２を介して穴４３に嵌め込まれており、ねじ止めやリベント止め、接着等の適宜手段で固定されている。スペーサ４２は樹脂製でも良い。ディスク体Ｄをディスクホルダー３３にセットした状態でインナーガイド１７の先端がディスク体Ｄに当たらないように設定している。
【００４１】
≪まとめ≫
以上の構成において、ディスクホルダー３３とインナーガイド１７との動きは互いに独立しているため、人がディスクホルダー３３を後退させてもインナーガイド１７が後退することはない。また、人がディスクホルダー３３を後退させ切ってもインナーガイド１７の露出寸法は僅かであるため、インナーガイド１７に指先を当てて後退させるようなことは事実上できない。
【００４２】
このため、誤ってファスナー１３を空中発射する事故を防止し、安全装置の機能を確保することができる。本実施形態のようにディスクホルダー３３てインナーガイド１７等のロック解除部材を囲う構成にすると、ロック解除部材へのアクセスが困難になるため特に好ましい）。
【００４３】
ディスク体Ｄは鋼板製であり、このため、ディスク体Ｄをディスクホルダー３３にセットすると、ディスク体Ｄは脱落しない状態に保持される。そして、図６に示すように、ディスク体Ｄを防水シートＷに重ねて打ち出し工具を押すと、ディスクホルダー３３とインナーガイド１７とが後退することによって安全装置のロックが解除され、トリガー８を引くとファスナー１３が打ち出される。図７に示すように、ディスク体Ｄはファスナー１３でコンクリートスラブＳに締結される。
【００４４】
そして、インナーガイド１７はワーク（防水シート）Ｗへの押し当てによって初めて後退するため、安全機能を確保できる。なお、正確には、インナーガイド１７はディスク体Ｄを介してワーク（防水シート）Ｗに当接し、ワークＷには直接には当たらないが、ロック解除機能には支障はない。ファスナー１３の連結具１４は様々の構造のものがあり、連結具１４の一部がワッシャーの状態でファスナー１３に残る場合もある。
【００４５】
ディスク体Ｄは必ずしも１種類とは限らず、大きさや厚さなどが相違する複数種類があるが、ディスク体Ｄの種類の違いに対しては、ディスクホルダー３３のみを取り替えるか、又はアタッチメント２０の全体を取り替えることによって対応できる。いずれにしてもねじ３５，３７の回転操作だけで着脱できるため、交換作業を簡単かつ素早く行える。
【００４６】
なお、図３に一点鎖線３６ａで示すように、スリーブ４２の外周面に、ガイド溝３６の前後中途部に連通しつつ前端に開口した補助溝３６ａを形成して、この補助溝３６ａを介してねじ３７をガイド溝３６に嵌め入れても良いのであり、この場合は、ディスクホルダー３３の着脱を工具なしでワンタッチ的に行える利点がある。
【００４７】
本願出願人が特願２００２−３３８０２１号において詳述したように、インナーガイドの前端に深さ調節部材を取付けることも可能である。アタッチメント２０を取付けた場合と取付けていない場合とでファスナーの打ち込み深さを変える必要があるため、インナーガイド１７の前端に深さ調節具を設けると、シュラウド１８によって防護した状態を保持しつつ、ファスナーのみの打ち込み作業とディスク体の締結作業との切り換えをユーザーが簡単に行える利点がある。
【００４８】
(2).第２実施形態（図８）
図８では第２実施形態を示している。（Ａ）は要部の縦断側面図、（Ｂ）は（Ａ）のＢ−Ｂ視断面図である。この実施形態の打ち出し工具は、ヘッド部３の主要要素は固定ガイド体４５で構成されており、ロック解除部材として専用のプローブ４６を設けている。
【００４９】
そして、固定ガイド体４５の前端部は円筒状等の筒状部４５ａに形成されており、この筒状部４５ａに、筒状のプローブ４６を外側からスライド自在でかつ抜け不能に嵌め込み、更に、プローブ４６にディスクホルダー３３を外側からスライド自在に嵌め込んでいる。
【００５０】
ディスクホルダー３３の後部は、固定ガイド体４５にもスライド自在に嵌まっている（安定性を確保するため）。また、ディスクホルダー３３はばね３４で前進方向に付勢されている。更に、プローブ４６には、固定ガイド体４５に形成した穴４７に挿通する足４８が後ろ向きに突設されており、この足４８で第１実施形態の連動部材１９と同様の部材を後退させるようになっている。符号４９は抜け止め用のビスである。
【００５１】
この実施形態では、ディスクホルダー３３を前進方向に付勢するばね３４のばね力はプローブ４６を前進方向に付勢するばねのばね力よりも相当に小さい値に設定している。このため、人がディスクホルダー３３を手で後退させてもプローブ４６が後退することはない。従って、安全機能を確保できる。プローブ４６は略四角形のような非円形でもあってもよい。
【００５２】
また、この実施形態では、ロック解除部材の一環をなす足４８は固定ガイド体４５で防護されており、従って、固定ガイド体４５が防護手段を兼用している（従って、この実施形態ではシュラウドは不要である）。なお、この実施形態においても、プローブ４６の先端に深さ調節具を取付けると好適である。
【００５３】
(3).第３実施形態（図９）
図９ではディスク保持手段の別例である第３実施形態を示している。すなわちこの実施形態では、ディスクホルダー３３における円板部３３ａの外周に適当な間隔で複数個の切欠き５０を形成し、これらか各切欠き５０の箇所に、ディスク体Ｄの外周面に弾性的に当接する板ばね５１をビス等で固定している。
【００５４】
ディスク体Ｄが樹脂製や非フェライト系ステンレスのような非磁性体製である場合は、このように板ばねで５１で押さえることによって脱落しない状態に保持できる。
【００５５】
(4).その他
本発明は上記の実施形態の他にも様々に具体化することができる。例えば、第１実施形態のようにインナーガイドをロック解除部材に兼用したタイプにおいても必ずしもスリーブは必要ないのであり、ディスクホルダーを固定ガイド体の前端部に直接取付けることも可能である。
【００５６】
ディスク体保持手段としてはマグネットや板ばねを使用することに限らず、例えば粘着シートや吸着盤を利用することも可能である。また、ディスク体の用途が防水シートを押さえ固定用に限らないことは言うまでもない。
【図面の簡単な説明】
【００５７】
【図１】第１実施形態の要部側面図である。
【図２】（Ａ）は要部の縦断側面図、（Ｂ）は（Ａ）の一部拡大図である。
【図３】要部の分離斜視図である。
【図４】図２のIV−IV視断面図である。
【図５】図２の V-V視断面図である。
【図６】打ち込み作業状態を示す図である。
【図７】打ち込み作業状態を示す図である。
【図８】第２実施形態を示す図である。
【図９】第３実施形態を示す図である。
【符号の説明】
【００５８】
１  本体
２  ロッド
３  ヘッド部
４  マガジン
８  トリガー
９  シリンダー
１３  ファスナー
１６  アウターガイド
１７  インナーガイド
１８  防護手段の一例としてのシュラウド
１９  ロック解除部材の一環を成す連動部材
２０  アタッチメント
３２  スリーブ
３３  ディスクホルダー
３４  ばね
Ｄ  ディスク体
【図１】
2006007384.tif 000003
【図２】
2006007384.tif 000004
【図３】
2006007384.tif 000005
【図４】
2006007384.tif 000006
【図５】
2006007384.tif 000007
【図６】
2006007384.tif 000008
【図７】
2006007384.tif 000009
【図８】
2006007384.tif 000010
【図９】
2006007384.tif 000011